(57)【特許請求の範囲】
【請求項１】
車両に備えられて前記車両の駐車区画周辺を撮像する撮像手段と、
前記撮像手段で撮影された画像をモニタに表示するための制御を行う表示画像処理手段と、
前記駐車区画内に配設された前記駐車区画の路面状況を含む駐車区画属性情報を符号化している符号化マーカを前記撮像手段によって撮像することにより得られた符号化マーカ画像から前記駐車区画属性情報を符号化復元ルールに基づいて復元することで生成する駐車区画属性情報生成手段と、
駐車区画内において特定された目標駐車位置までの駐車経路を前記駐車区画属性情報生成手段により生成された前記駐車区画属性情報を参照して演算する駐車経路演算手段と、
前記駐車経路に従って前記車両を前記目標駐車位置へ誘導する誘導手段と、
を備えた駐車支援装置。
【請求項２】
前記駐車区画属性情報生成手段は、前記符号化マーカ画像から前記駐車区画の勾配又は段差あるいはその両方を前記駐車区画属性情報として読み取る請求項１に記載の駐車支援装置。
【請求項３】
前記符号化マーカは前記駐車区画を決定する両側の区画線上のそれぞれに配設されており、前記車両の駐車区画への進入中において前記駐車区画属性情報生成手段は撮影歪みの少ない方の符号化マーカ画像を用いて前記駐車区画属性情報を生成する請求項１又は２に記載の駐車支援装置。
【請求項４】
前記符号化マーカは前記駐車区画の中央に配設されている請求項１又は２に記載の駐車支援装置。
【請求項５】
前記符号化マーカは暗色領域と明色領域で区分けされた直線幾何学模様からなり、前記駐車区画属性情報生成手段は前記符号化マーカ画像における特定暗色領域と特定明色領域の長さ比に基づいて駐車区画属性情報を生成する請求項１から４のいずれか一項に記載の駐車支援装置。
【請求項６】
前記符号化マーカは暗色領域と明色領域で区分けされた同心形幾何学模様からなり、前記駐車区画属性情報生成手段は前記符号化マーカ画像における特定同心形部分の幅比に基づいて駐車区画属性情報を生成する請求項１から４のいずれか一項に記載の駐車支援装置。
【発明の詳細な説明】
【技術分野】
【０００１】
本発明は、車両に備えられたカメラによる撮影画像を用いて、駐車区画において設定された目標駐車位置に向かう駐車経路を演算して、当該駐車経路に従って車両を目標駐車位置に誘導する駐車支援装置に関する。
【背景技術】
【０００２】
このような駐車支援装置として、例えば特許文献１に示すものが知られている。この駐車支援装置は、車両に搭載されたカメラを用いて、目標駐車位置を決定する際の基準となる駐車基準を含む車両の周辺を撮影する。撮影された画像を解析して駐車区画を検出し、検出された駐車区画に基づいて目標駐車位置を設定する。その後、設定された目標駐車位置に向かって車両が誘導される。この駐車支援装置では、駐車区画からかなり離れた駐車開始位置で設定された目標駐車位置に基づいて駐車経路が演算される。従って、精度の良い駐車支援のためには、遠くから撮影された駐車区画の撮影画像品質が高いことが前提となる。
【０００３】
そのような問題を解決する駐車支援装置として、例えば特許文献２に示すものも知られている。この駐車支援装置では、車両を目標駐車位置に誘導する際に、車両が所定条件移動するごとに、駐車基準検出手段が駐車基準を検出するとともに、目標位置更新手段が駐車基準と車両との相対位置に基づいて目標駐車位置を更新する。これにより、最初の目標駐車位置の設定の際に駐車基準から離間した位置に車両が存在したために好適な駐車車両位置が設定できなかった場合であっても、車両が駐車基準に近づいた状態で再度駐車基準と目標駐車位置の設定を行うことで、良好な駐車支援を行うことを意図している。
【０００４】
【特許文献１】特開２０００−７９８６０号公報（段落番号００２０、図１）
【特許文献２】特開２００７−１７６２４４号公報（段落番号０００８、図１３）
【発明の開示】
【発明が解決しようとする課題】
【０００５】
いずれにせよ上述した駐車支援装置では、駐車しようとする駐車区画とその駐車区画への駐車路との間に段差や勾配がないことが前提条件となっている。従って、実際に段差や勾配が存在している場合、段差による走行距離のずれや、勾配による撮影画像から読み取られる距離と実際の距離との違い等により、演算された駐車経路が不正確になる。その結果、目標駐車位置に車両を適正に誘導することができないという問題が生じる。
【０００６】
本発明は、上述の問題点に鑑みてなされたものであり、その目的は、段差や勾配などの特殊な路面状況を有する駐車区画への駐車であっても、目標駐車位置に車両を適正に誘導することができる駐車支援装置を提供することにある。
【課題を解決するための手段】
【０００７】
上記課題を解決するため、本発明による駐車支援装置は、車両に備えられて前記車両の駐車区画周辺を撮像する撮像手段と、前記撮像手段で撮影された画像をモニタに表示するための制御を行う表示画像処理手段と、前記駐車区画内に配設された前記駐車区画の路面状況を含む駐車区画属性情報を符号化している符号化マーカを前記撮像手段によって撮像することにより得られた符号化マーカ画像から前記駐車区画属性情報を符号化復元ルールに基づいて復元することで生成する駐車区画属性情報生成手段と、駐車区画内において特定された目標駐車位置までの駐車経路を前記駐車区画属性情報生成手段により生成された前記駐車区画属性情報を参照して演算する駐車経路演算手段と、前記駐車経路に従って前記車両を前記目標駐車位置へ誘導する誘導手段とを備えている。
【０００８】
この構成によれば、特定された目標駐車位置に車両を誘導する際に、撮像手段によって符号化マーカが撮像されると、その符号化マーカ画像から駐車区画の路面状況を含む駐車区画属性情報が生成される。さらに、この生成された駐車区画属性情報を参照して駐車経路が演算される。従って、駐車区画の路面状況に応じた適正な駐車経路が演算され、その結果、この駐車支援装置は、目標駐車位置に車両を適正に誘導することができる
【０００９】
なお、符号化マーカの検出には、駐車区画を規定している単純な区画線（一般的には白線）に較べてより高い品質の撮影画像が要求される。従って、満足できる品質の符号化マーカ画像が得られるまでは、従来通りの駐車区画属性情報を参照しないで演算された駐車経路を利用して駐車区画に進入してもよい。その後、満足できる品質の符号化マーカ画像が得られた段階で駐車区画属性情報を参照して演算された駐車経路を利用することで正確な駐車位置に車両を駐車させることができる。
【００１０】
駐車経路の演算において誤差を生じさせる要因となる、駐車区画の路面状況として、特に駐車区画における勾配や段差が挙げられる。このため、本発明に係る駐車支援装置は、さらに、前記駐車区画属性情報生成手段が、前記符号化マーカ画像から前記駐車区画の勾配又は段差あるいはその両方を前記駐車区画属性情報として読み取ることを特徴としている。このような実施形態では、駐車区画内に配設された符号化マーカには、当該駐車区画の勾配や段差に関する情報が符号化して埋め込まれていることになるので、符号化マーカ画像を画像分析して勾配や段差に関する情報を読み取ることができる。
【００１１】
一般に、撮影手段として用いられる車載カメラは車体後部の中央に設けられ、その撮影中心がほぼ車体の長手中心線の延長上に位置している。このため、前記符号化マーカを前記駐車区画の中央に配設すると、その符号化マーカはカメラ撮像面の中央で捉えられることになり、歪みの少ない符号化マーカ画像が得られるという利点がある。
【００１２】
また、駐車区画の中央に配設された符号化マーカが何らかの障害物情報と誤認されないよう、駐車区画の中央部は余白として残しておきたいという要望がある。そのような要望に応えるためには、前記符号化マーカが前記駐車区画を決定する両側の区画線上に配設され、前記車両の駐車区画への進入中において前記駐車区画属性情報生成手段は撮影歪みの少ない方の符号化マーカ画像を用いて前記駐車区画属性情報を生成すると好都合である。車庫入れのような駐車の場合、車両は左方又は右方からカーブしながら駐車区画への進入するケースが少なくない。その際には、両側区画線のどちらか一方に配設された符号化マーカがより歪みが少なくかつ鮮明に撮影される可能性が高いので、その良好な符号化マーカを利用することができる。
【００１３】
また、本発明に係る符号化マーカを暗色領域と明色領域で区分けされた直線幾何学模様から構成し、前記駐車区画属性情報生成手段は前記符号化マーカ画像における特定暗色領域と特定明色領域の長さ比に基づいて駐車区画属性情報を生成することも可能である。この特徴によれば、符号化マーカ部を二値化することで簡単にその直線幾何学模様を取り出すことができる。さらに、符号化マーカ画像から例えば二値化されて明確化された直線幾何学模様における輪郭線を生成することで、各辺の長さ比も容易に算出することができる。
【００１４】
さらに、本発明に係る符号化マーカを暗色領域と明色領域とで区分けされた同心形幾何学模様から構成し、前記駐車区画属性情報生成手段は前記符号化マーカ画像における特定同心形部分の幅比に基づいて駐車区画属性情報を生成する事も可能である。特に同心形として同心円などを採用した場合、その符号化マーカ画像は方向性を無視することができ、同心形の円計歪み補正を行うだけで、その同心形部分の幅比を容易に算出することができる。
【発明を実施するための最良の形態】
【００１５】
図１は、本発明に係る駐車支援装置の構成を模式的に示すブロック図である。図２は、本発明に係る駐車支援装置を搭載する車両１０の一例を示す斜視図である。図１及び図２に示す駐車支援ＥＣＵ（Electronic Control Unit）１は、マイクロコンピュータやＤＳ
Ｐ（Digital Signal Processor）などによって構成されており、本発明の駐車支援装置の中核をなすものである。駐車支援ＥＣＵ１は、カメラ６（撮影手段の一例）、距離センサ７ａ、速度センサ７ｂ、シフトレバースイッチ７ｄ、操舵角センサ７ｃなどから、車両１０及び車両１０の周辺の撮影画像を得て、乗員による車両１０の駐車操作を支援する。モニタ５ｂやスピーカ５ｃなどは、駐車支援ＥＣＵ１からの支援情報を、乗員に提供するための報知装置である。モニタ５ｂは操作パネル５ａに隣接している。操作パネル５ａの各種ボタン・スイッチは、乗員によるマニュアル操作入力を受け付ける。さらに、モニタ５ｂはタッチパネルとして構成されており、モニタ５ｂも操作パネル５ａと同様に操作入力手段として機能する。また、駐車支援ＥＣＵ１は、車両１０の他の制御装置、例えばアクセルＥＣＵ８ａ、ステアリングＥＣＵ８ｂ、制動ＥＣＵ８ｃにも支援情報を提供する。アクセルＥＣＵ８ａ、ステアリングＥＣＵ８ｂ、制動ＥＣＵ８ｃは、この支援情報に基づいて車両１０の走行機構を制御して車両１０を走行され、車両１０を目標駐車位置に誘導する。
【００１６】
図１に示すように、駐車支援ＥＣＵ１は、画像処理ユニット２と、演算ユニット３と、ＨＭＩ（Human Machine Interface）ユニット４とを備えている。ＨＭＩユニット４は、
操作入力処理手段４１と、ＧＵＩ（Graphic User Interface）機能を有する表示画像処理手段４２と、オーディオ処理手段４３とを有している。操作入力処理手段４１は、操作パネル５ａを通じて送られてきた操作信号、及び表示画像処理手段４２を介して送られてきたタッチパネル操作信号を受け取る。表示画像処理手段４２は、カメラ６によって撮影された車両１０の周辺の情景の画像や、この画像上に文字や線による駐車支援情報を重ね合わせた画像をモニタ５ｂに表示するための制御を行う。ＨＭＩユニット４に入力された操作指令は演算ユニット３に送られる。
【００１７】
画像処理ユニット２は、カメラ６によって撮像された車両後方の撮影画像を処理する。画像処理ユニット２の構成要素のうち、特に本発明に関係するものとして、駐車基準検出手段２１と、符号化マーカ画像抽出手段２２と、駐車区画属性情報生成手段２３が挙げられる。駐車基準検出手段２１は、カメラ６から入力された撮影画像を解析して、目標駐車位置を設定する際の基準となる駐車基準を検出する。符号化マーカ画像抽出手段２２は、入力された撮影画像から、後で詳しく説明される符号化マーカの画像の領域を検出して、その符号化マーカ画像を駐車区画属性情報生成手段２３に与える。なお、入力された撮影画像から、２つの符号化マーカ画像が検出された場合には、より幾何学的歪みが少なく、かつ鮮明な方が抽出される。駐車区画属性情報生成手段２３は、符号化マーカ画像を、後で詳しく説明する符号化復元ルールに基づいて復元し、符号化マーカに埋め込まれている、駐車区画の路面状況を含む駐車画像属性情報を生成する。
【００１８】
演算ユニット３には、目標駐車位置設定手段３１と、車両位置演算手段３２と、駐車経路演算手段３３と、誘導手段３４とが備えられている。目標駐車位置設定手段３１は、駐車基準検出手段２１によって検出された駐車基準に基づいて目標駐車位置を設定する。車両位置演算手段３２は、カメラ６から入力された撮影画像の画像処理ユニット２により処理結果や、距離センサ７ａ、速度センサ７ｂ、操舵角センサ７ｃなどによる検出結果に基づいて、車両１０の位置を検出する。駐車経路演算手段３３は、目標駐車位置と車両１０の位置とに基づいて目標駐車位置までの駐車経路を演算する。その際、駐車区画属性情報生成手段２３によって駐車区画属性情報が生成されている場合には、その駐車区画属性情報を参照して、例えば、段差や勾配に起因するずれを補正した駐車経路を演算する。誘導手段３４は、駐車経路に従って、アクセルＥＣＵ８ａ、ステアリングＥＣＵ８ｂ、制動ＥＣＵ８ｃなどを制御して車両１０を目標駐車位置まで誘導する。なお、駐車支援ＥＣＵ１の各ユニットや各手段は、説明上、機能としての区別を示すものとして用いられているだけであり、それらの統合、分割は自由である。また、上記のような各ユニット及び各手段は、駐車支援ＥＣＵ１に実装されたソフトウェアプログラムの実行によりそれぞれの機能が実現するように構成することができる。
【００１９】
図２に示すように、この実施形態では、カメラ６は車両１０の後方に備えられている。カメラ６は、これに限らず、前方及び後方に備えられるものであってもよく、車両１０の後方に少なくとも一つのカメラ６が備えてあればよい。カメラ６からの撮影画像は、車両１０の周辺の情景として、モニタ５ｂに表示することができる。速度センサ７ｂは、例えば各車輪に備えられた回転センサである。各車輪の回転数を検出することにより、車両１０の速度を計測する。あるいは、速度センサ７ｂ（回転センサ）は回転数だけを検出し、駐車支援ＥＣＵ１がこの回転数から車両１０の移動速度を演算してもよい。ステアリング９の近傍には、操舵角センサ７ｃが備えられている。この検出結果より、駐車支援ＥＣＵ１は車両１０の操舵の状態を把握する。また、シフトレバースイッチ７ｄにより、駐車支援ＥＣＵ１は、車両１０が前進運転状態であるか、後退運転状態であるかを把握する。なお、速度センサ７ｂが回転センサを用いて構成されている場合、この回転センサの回転方向によって、前進運転状態であるか、後退運転状態であるかを検出してもよい。また、回転センサが４輪に備えられていれば、それぞれの車輪の回転数の違いにより、駐車支援ＥＣＵ１１が操舵角を演算してもよい。そして、これらの情報に基づいて、演算ユニット３は車両１０と到達目標との相対位置及び駐車基準と車両１０との相対位置を演算することができる。
【００２０】
図３は車両１０の上方より見た説明図であり、図４は車両１０の側方より見た説明図である。符号Ｓは駐車区画Ｅを区画するために駐車場に描かれた駐車区画線（駐車基準の一例）であり、一般には白線で描画されている。ここでは、左駐車区画線Ｓ1と右駐車区画
線Ｌ2が示されている。さらに、この左右の駐車区画線Ｓの各前端に、同じ符号化マーカ
５０が描画されている。この実施形態では、符号化マーカは、図４の（ａ）に示すような駐車区画における勾配の情報と、図４の（ｂ）に示すような駐車区画における段差の情報とを符号化（模様化）して埋め込んでいる。
【００２１】
そのような符号化マーカ５０の一例が図５に示されている。この符号化マーカ５０は横辺の長さがＷで表され、縦辺の長さがＬで表された矩形形状である。その矩形形状の内部に、暗色領域５１と明色領域５２によって十字模様を作り出している。暗色領域５１と明色領域５２との関係は図５の反対でもよい。なお、この縦辺は駐車区画線Ｓ1、Ｓ2の延設方向に一致させている。図５から理解できるように、ここでは明色領域５２で表された十字模様を横辺方向に沿って解析すると、十字模様の左上に位置する暗色領域部分の横辺方向の距離Ｗ1と、十字模様の縦辺の幅Ｗ2と、十字模様の右上に位置する暗色領域部分の横辺方向の距離Ｗ3とを読み取ることができる。ここでは、勾配を以下の式、
勾配＝（（４・Ｗ2−Ｗ）／Ｗ）・１０
で定義している。
また、勾配変化開始位置を以下の式、
勾配変化開始位置(mm)＝（（Ｗ1−Ｗ3）／Ｗ）・１００００
で定義している。
【００２２】
また、明色領域５２で表された十字模様を縦辺方向に沿って解析すると、十字模様の左上に位置する暗色領域部分の縦辺方向の距離Ｌ1と、十字模様の横辺の幅Ｌ2と、十字模様の左下に位置する暗色領域部分の縦辺方向の距離Ｌ3とを読み取ることができる。ここでは、段差を以下の式、段差(mm)（（４・Ｌ2−Ｌ）／Ｌ）・１００
で定義している。
また、段差変化開始位置を以下の式、
段差変化開始位置(mm)＝（（Ｌ1−Ｌ3）／Ｗ）・１００００
で定義している。
つまり、この符号化マーカ５０は、暗色領域と明色領域で区分けされた直線幾何学模様の一例としての十字模様における特定暗色領域と特定明色領域の長さ比の形態で、勾配情報又は段差情報あるいはその両方を埋め込んでいる。従って、駐車区画属性情報生成手段２３はこの符号化マーカ５０の符号化マーカ画像における特定暗色領域と特定明色領域の長さ比に基づいて駐車区画属性情報としての勾配情報又は段差情報を生成することができる。
【００２３】
符号化マーカ５０から勾配情報と段差情報を読み取る実例を図６と図７を用いて説明する。
図６（ａ）は、勾配がある駐車区画を車両１０の側方より見た説明図である。この勾配の開始位置は符号化マーカ５０の先端から駐車区画後方に１２５０mm（正負符号を付けて表すと−１２５０）で、勾配は登りで５％（正負符号を付けて表すと＋５）となっている。なお、段差はなしとなっている。このような勾配情報と段差情報とを駐車区画属性情報として埋め込んでいる符号化マーカ５０が図６（ｂ）に示されている。図６（ｂ）で示された符号化マーカ５０をカメラ６で撮像して得られた符号化マーカ画像を解析することにより、前述したＷ、Ｗ1、Ｗ2、Ｗ3、Ｌ、Ｌ1、Ｌ2、Ｌ3の値を求めることができる。なお、ＷとＬは、予め設定しておくと好都合であり、ここではそれぞれ４００と設定されている。図６（ｂ）の例では、Ｗ＝４００、Ｗ1＝１００、Ｗ2＝１５０、Ｗ3＝１５０、Ｌ＝４００、Ｌ1＝１５０、Ｌ2＝１００、Ｌ3＝１５０となっている。これを前述した勾配と段差に関する式に代入すると、
勾配(％)：
＝（（４・１５０−４００）／４００）・１０＝５
勾配変化開始位置(mm)：
＝（（１００−１５０）／４００）・１００００＝−１２５０
段差(mm)：
（（４・１００−４００）／４００）・１００＝０
段差変化開始位置(mm)：
＝（（１５０−１５０）／４００）・１００００＝０
となる。
【００２４】
図７（ａ）は、段差がある駐車区画を車両１０の側方より見た説明図である。この段差の開始位置は符号化マーカ５０の先端から駐車区画後方に１２５０mm（正負符号を付けて表すと−１２５０）で、段差は登りで５０mm（正負符号を付けて表すと＋５０）となっている。なお、勾配はなしとなっている。このような勾配情報と段差情報とを駐車区画属性情報として埋め込んでいる符号化マーカ５０が図７（ｂ）に示されている。図７（ｂ）で示された符号化マーカ５０をカメラ６で撮像して得られた符号化マーカ画像を解析することにより、前述したＷ、Ｗ1、Ｗ2、Ｗ3、Ｌ、Ｌ1、Ｌ2、Ｌ3の値を求めることができる。なお、ＷとＬは、それぞれ４００と設定されている。図７（ｂ）の例では、Ｗ＝４００、Ｗ1＝１５０、Ｗ2＝１００、Ｗ3＝１５０、Ｌ＝４００、Ｌ1＝１５０、Ｌ2＝１５０、Ｌ3＝１００となっている。これを前述した勾配と段差に関する式に代入すると、
勾配(％)：
＝（（４・１００−４００）／４００）・１０＝０
勾配変化開始位置(mm)：
＝（（１５０−１５０）／４００）・１００００＝０
段差(mm)：（（４・１５０−４００）／４００）・１００＝５０
段差変化開始位置(mm)：
＝（（１５０−１５０）／４００）・１００００＝１２５０
となる。このことから、このような符号化マーカから正確に勾配情報と段差情報とが得られることが理解できる。
【００２５】
上記のように構成された駐車支援装置を搭載した車両１０が、図３で示されたような駐車区画Ｅに駐車する際の駐車支援装置の動作を図８のフローチャートを用いて説明する。車両１０が図３に示す位置にある場合、車室内に設けられたモニタ５ｂには、図９に例示するような画面が示される。この画面の左上方には、駐車区画線Ｌ１と駐車区画線Ｌ２とによって区画された駐車区画Ｅの全景が映しだされているが、符号化マーカ５０は鮮明には表示されていない。画面の下方には、車両１０の後バンパの一部が映っている。また、図中の符号Ｒは車両１０の最後部から例えば３０ｃｍ後方を示す注意線を示している。
【００２６】
この状態で、運転者が車両１０を駐車区画Ｅに駐車するべく車両１０を一旦停止すると、速度センサ７ｂは車両１０が停止していることを検出し、この検出結果を駐車支援装置の演算ユニット３に送信する。さらに、運転者がシフトレバー９ｂをリバースに設定すると、シフトレバースイッチ７ｄはシフトレバー９ｂがリバースに設定されたことを検出し、この検出結果を演算ユニット３に送信する。上述の二つの検出結果が演算ユニット３に送信されると、駐車支援ＥＣＵ１は目標位置設定モードに移行する（♯０１Yes分岐）。
駐車支援ＥＣＵ１が目標位置設定モードに移行すると、モニタ５ｂの画面に「目標駐車位置設定」が表示されるとともに、スピーカ５ｃから「目標駐車位置を設定しますか？」という音声が発せられる。乗員がモニタ５ｂの「目標駐車位置設定」に触れると、スピーカ５ｃから「目標駐車位置を設定します」という音声が発せられ、目標駐車位置の設定が開始される。
【００２７】
目標駐車位置設定モードにおいて、まず、目標駐車位置を設定するための基準となる駐車区画線Ｓを検出する駐車区画線検出処理が行われる（♯０２）駐車区画線検出処理において、駐車基準検出手段２１はカメラ６ｂにより撮影された画像を画像処理して駐車区画線Ｓを検出する。なお、駐車区画線検出処理の詳細については後述する。駐車区画線検出処理が終了すると、目標駐車位置を設定する（♯３）。目標駐車位置は、例えば駐車区画線Ｓ１、Ｓ２の長さに関する情報、駐車区画線Ｓ１、Ｓ２間の距離に関する情報等の駐車区画線Ｓに関する情報に基づいて、車両１０が駐車区画の中央に駐車されるように設定される。なお、目標駐車位置の設定は、上述の例に限ることなく、例えば駐車区画線Ｓを一本検出し、当該駐車区画線Ｓから所定距離離間した位置を目標駐車位置に設定する等上述以外の方法であってもよい。また、マニュアルで設定してもよい。
【００２８】
目標駐車位置が設定されると、符号化マーカ画像抽出手段２２がカメラ６の撮影画像から符号化マーカ画像が抽出できたかどうかチェックされる（＃０４）。符号化マーカ画像が抽出されている場合（＃０４Yes分岐）、抽出された符号化マーカ画像を用いて、駐車
区画属性情報である段差情報と勾配情報とが上述した演算アルゴリズムを用いて生成される（＃０５）。生成された駐車区画属性情報はメモリに一時記憶され（＃０６）、さらに参照フラグに「１」が設定される（＃０７）。符号化マーカ画像が抽出されていない場合（＃０４No分岐）、参照フラグに「０」が設定される（＃０８）。
【００２９】
次に、誘導手段３４は、車両位置演算手段３２によって算出された現在の車両１０の位置に関する情報と前記目標駐車位置に関する情報とに基づいて駐車する際の駐車経路を演算する（♯０９）。駐車経路の計算が完了すると、モニタ５ｂに、目標駐車位置を示す表示と目標駐車位置までの駐車経路を示す表示が行われ、スピーカ５ｂから「設定を完了しました。目標駐車位置を変更しますか？」という音声が発せられる。目標駐車位置を変更する必要がない場合（♯１０Yes分岐）、乗員が「目標駐車位置確定」の表示に触れるこ
とで、目標駐車位置が確定する。一方、設定された目標駐車位置を変更したい場合（♯１０No分岐）、目標駐車位置の再設定を行い（♯１１）、ステップ＃０９に戻って駐車経路を演算し直す。
【００３０】
目標駐車位置が確定すると、駐車支援装置は駐車支援モードに移行し、車両１０の目標駐車位置への誘導が実行される（♯１２）。駐車支援モードの移行に先立って、スピーカ５ｃから「駐車支援を開始しますか？」の音声を発するとともにモニタ５ｂに「駐車支援開始」が表示し、乗員が「駐車支援開始」の表示に触れる等の確認操作を行うようにすることが好ましい。駐車支援モードに移行すると、誘導手段３４は、シフトレバー９ｂがリバースに設定してあること及び乗員によりブレーキが解除されたことを検知した後、アクセルＥＣＵ８ａ、ステアリングＥＣＵ８ｂ、制動ＥＣＵ８ｃを制御して、車両１０を目標駐車位置に向けて誘導する。この目標駐車位置への誘導は、車両１０が目標駐車位置に到達するまで実行されるが、その途中で、カメラ５ｂの撮影画像から符号化マーカ画像が抽出できたかどうか再度チェックされる（＃１３）。符号化マーカ画像が抽出されている場合（＃１３Yes分岐）、抽出された符号化マーカ画像を用いて、駐車区画属性情報である
段差情報と勾配情報とが生成される（＃１４）。カメラ６と符号化マーカ５０までの距離は遠いと、得られる符号化マーカ画像も小さく不鮮明なものとなって、駐車区画属性情報の作成が不能となることが考えられる。しかし、カメラ６と符号化マーカ５０までの距離は近くなると、図１０で示すように、得られる符号化マーカ画像も大きく鮮明なものとなって、正確な駐車区画属性情報の作成が可能となる。このため、車両１０の目標駐車位置への誘導中においても、符号化マーカ画像を抽出して、駐車区画属性情報の作成を行うことは有意義である。この符号化マーカ画像の抽出処理は、車両１０が所定距離移動したタイミングでおこなってもよいし、車両１０が所定時間走行したタイミングで行ってもよい。
【００３１】
次いで、参照フラグの値がチェックされる（＃１５）。参照フラグの値が「１」の場合（＃１５Yes分岐）、さらに、ステップ＃１４で生成された駐車区画属性情報とその時点
でメモリに一時記憶されている駐車区画属性情報とが相違しているかどうかチェックされる（＃１６）。相違している場合（＃１６Yes分岐）、新しく生成された駐車区画属性情
報によってメモリに一時記憶されている内容が書き換えられる（＃１７）。参照フラグの値が「０」の場合（＃１５No分岐）、これまでは符号化マーカ画像が抽出されず、駐車区画属性情報が生成されていなかったことになるので、ステップ＃１４で生成された駐車区画属性情報がメモリに一時記憶され（＃１８）。さらに参照フラグに「１」が設定される（＃１８）。ステップ＃１７で駐車区画属性情報が書き換えられるか、又はステップ＃１８で駐車区画属性情報が記憶された場合、再度この最新の駐車区画属性情報を参照した駐車経路が演算される（＃２０）。このステップ＃２０の後、又はステップ＃１６のチェックで駐車区画属性情報が相違していなかった場合（＃１６No分岐）は、ステップ＃２１に進んで、車両１０が目標駐車位置に到達したかどうかがチェックされる。まだ目標駐車位置に到達していない場合（＃２１No分岐）、ステップ＃１２に戻って、最新の演算された駐車経路に従った目標駐車位置への誘導が実行される。車両１０が目標駐車位置に到達すると（＃２１Yes分岐）、この駐車支援制御は終了する。駐車支援が終了すると、スピー
カ５ｃより「駐車支援を終了します」の音声が発せられ、駐車支援が終了したことが乗員に報知される。
なお、誘導手段３４による誘導は、上述のようにステアリング９ａの操舵やアクセルの操作、プレーキの操作等を自動で行うものに限らず、例えば操舵量や操舵タイミング、ブレーキタイミング等を乗員に知らせる表示や音声等であってもよい。
【００３２】
また、図８のフローチャートでは示されていないが、駐車支援実行中は、モニタ５ｂに「駐車支援中止」が表示され、乗員がその表示に触れることにより必要に応じて駐車支援を中止できる構成や、例えば乗員がブレーキやステアリング９ａ等を操作した場合も駐車支援を中止する構成を採用してもよい。
【００３３】
図８のステップ＃０２に示す駐車区画線検出処理の一例について、図１１に基づいて説明する。まず、カメラ６ｂが撮影した画像をワールド座標からイメージ座標に変換して視点変換処理を行う（♯４１）。そして、視点変換処理した画像について、例えば３×３の空間フィルタを走査し、各空間フィルタに対して微分処理をして輝度差情報を取得する。取得した輝度差情報に基づき、空間フィルタごとに閾値を越えた輝度差を+エッジ、-エッジとし（♯４２）、これらの並びから駐車区画線候補を抽出する（♯４３）。駐車区画線候補が抽出されると、公知のＨｏｕｇｈ変換を用いて駐車区画線候補から駐車区画線を検出する（♯４４）。駐車区画線が抽出されると、後の処理での利用のために、検出された駐車区画線に基づいて駐車区画線Ｓ１，Ｓ２の端部の座標値などの駐車区画パラメータを取得する（♯４５）。
【００３４】
図８のステップ＃０５と＃１３に示す駐車区画属性情報生成処理の一例について、図１２に基づいて説明する。まず、符号化マーカ画像抽出手段２２によって抽出された符号化マーカ画像をワーキングメモリに展開して、２値化処理を行う（＃５１）。明色領域と暗色領域に振り分けられた符号化マーカ画像からエッジ強調とエッジ検出を行い、輪郭線（ここでは十字模様）を生成する（＃５２）。輪郭線で表された符号化マーカ画像に対して歪み補正を行う（＃５３）。この歪み補正は、レンズ歪みやカメラ撮像面と符号化マーカ５０の描画面との関係に起因する幾何学歪みが代表的であるが、予め符号化マーカ５０の互いに直交する横辺の長さ：Ｗと縦辺の長さ：Ｌとが予め設定されているとそれに基づいて比較的簡単に行うことができる。符号化マーカの縦辺が縦軸に一致し、符号化マーカの横辺が横軸に一致するように座標変換を行う（＃５４）。符号化マーカ５０の横辺の長さ：Ｗと縦辺の長さ：Ｌとを基準にしてサイズの正規化（拡縮処理）を行う（＃５５）。上述したＷ1、Ｗ2、Ｗ3、Ｌ1、Ｌ2、Ｌ3の値を算定する（＃５６）。Ｗ、Ｗ1、Ｗ2、Ｗ3、Ｌ、Ｌ1、Ｌ2、Ｌ3の値を上述した式に代入して、段差情報と勾配情報を生成する（＃５７）。
【００３５】
上述したように本発明による駐車支援装置では、符号化マーカ５０の撮影画像から、これから駐車しようとする駐車区画Ｅの路面状況を表す駐車区画属性情報（この実施形態では段差情報や勾配情報）が生成される。そして、この駐車区画属性情報に基づいて駐車経路が演算され、その駐車経路に従って車両１０が誘導されるので、段差や勾配のある駐車区画Ｅでも、正確な駐車誘導が実現する。
【００３６】
〔別実施形態〕
（１）
上述した実施形態では、図３に示すように、符号化マーカ５０は駐車区画線Ｓの先端領域に描画されていたが、それに限定されるわけではない。例えば、図１３に示すように、駐車区画Ｅの中央、左駐車区画線Ｓ1と右駐車区画線Ｓ2の間に描画することも可能である。この場合、カメラ６が車体１０の中央に設けられ、その撮影中心がほぼ車体の長手中心線の延長上にあることを考慮すると、符号化マーカ５０はカメラ６の撮像面の中央で捉えることになり、歪みの少ない符号化マーカ画像が得られる利点がある。
（２）
上述した実施形態では、符号化マーカ５０の縦辺と横辺の認識は、駐車区画線Ｓに沿っているのが縦線であるというルールに基づいていたが、それに限定されるわけではない。例えば、縦辺の長さＬと横辺の長さＷに予め所定の大小関係をつけておき、その大小関係から縦辺と横辺の認識を行うことができる。
（３）
上述した実施形態では、符号化マーカ５０は暗色領域と明色領域で区分けされた直線幾何学模様、例えば十字模様からなっていたが、これに限定されるわけではない。暗色領域と明色領域で区分けされた同心形幾何学模様から符号化マーカ５０を作成することも可能である。特に、図１４に示すような同心円幾何学模様を採用した場合、図１４でも示されているように、勾配情報と段差情報を導くＷ1、Ｗ2、Ｗ3、Ｌ1、Ｌ2、Ｌ3は、特定同心形部分の幅で定義するこことができる。もちろん、同心形幾何学模様としては、図１４に示すような同心円幾何学模様のような正円形状だけでなく、半円形状や、扇形形状を用いることも可能である。さらには、同心の複数楕円や複数多角形からなる幾何学模様も採用可能である。
（４）
上述した実施形態では、符号化マーカ５０は駐車区画属性情報として段差情報と勾配情報を埋め込んでいたが、これに限定されるわけではない。駐車区画属性情報としては、駐車の障害となる障害物情報、滑りやすい路面や大きな駆動力を必要とする凸凹路面など、駐車経路の演算での影響因子となる全ての情報を対象とすることができる。
（５）
上述した実施形態では、後退による駐車を例に説明したが、駐車支援装置による駐車支援は、例えば車両の前部等にもカメラ６を設け、前進による駐車や縦列駐車等、上述の形態に限るものではない。
【図面の簡単な説明】
【００３７】
【図１】本発明に係る駐車支援装置を示すブロック図
【図２】駐車支援装置を搭載した車両を示す模式図
【図３】駐車しようとする駐車区画と符号化マーカの関係を示す説明図
【図４】駐車区画における勾配と段差を示す説明図
【図５】符号化マーカの一例を示す説明図
【図６】勾配情報とその勾配情報を埋め込んだ符号化マーカとを示す説明図
【図７】段差情報とその段差情報を埋め込んだ符号化マーカとを示す説明図
【図８】駐車支援装置の動作の一例を示すフローチャート
【図９】目標位置設定モードへ移行前のモニタ画面を示す図
【図１０】駐車支援中のモニタ画面を示す図
【図１１】駐車区画線検出処理を示すフローチャート
【図１２】駐車区画属性情報生成処理を示すフローチャート
【図１３】駐車しようとする駐車区画と符号化マーカの別な形態を示す説明図
【図１４】符号化マーカの別な形態を示す説明図
【符号の説明】
【００３８】
６ 撮影手段（カメラ）
１０ 車両
２１ 駐車基準検出手段
２２ 符号化マーカ画像抽出手段
２３ 駐車区画属性情報生成手段
３１ 目標駐車位置設定手段
３２ 車両位置演算手段
３３ 駐車経路演算手段
３４ 誘導手段
５０ 符号化マーカ
Ｅ 駐車区画
【図１】
0005013204.tif 000002
【図２】
0005013204.tif 000003
【図３】
0005013204.tif 000004
【図４】
0005013204.tif 000005
【図５】
0005013204.tif 000006
【図６】
0005013204.tif 000007
【図７】
0005013204.tif 000008
【図８】
0005013204.tif 000009
【図９】
0005013204.tif 000010
【図１０】
0005013204.tif 000011
【図１１】
0005013204.tif 000012
【図１２】
0005013204.tif 000013
【図１３】
0005013204.tif 000014
【図１４】
0005013204.tif 000015